(57)【要約】【課題】スピーカ自体の水漏れを防ぐ構造とすることができ、これにより音質の向上、音量増大を図りつつ防水機能を向上させることができるスピーカ装置及び携帯機器を提供すること。【解決手段】  ボイスコイル１０ａを有するスピーカ本体１０と、スピーカ本体の周囲を囲むように形成された筒状フレーム１２と、周縁部１３ｃが筒状フレームの端面に固定されてスピーカ本体の前面を覆うプロテクタ１３と、周縁部１４ｃが筒状フレームの端面とプロテクタとの間に挟まれて固定される防水性のある振動板１４と、筒状フレームの端面に形成され、ボイスコイルのリード線１１を筒状フレームの外へ引き出すためのスリット１２ｂと、振動板と筒状フレームの端面との間に配置されてスリットを塞ぐプレート１５とを備える。【選択図】図１
2008278146.tif 000002
【特許請求の範囲】
【請求項１】
ボイスコイルを有するスピーカ本体と、
前記スピーカ本体の周囲を囲むように形成された筒状フレームと、
前記筒状フレームの端面に周縁部が固定されて前記スピーカ本体の前面を覆うプロテクタと、
周縁部が前記筒状フレームの端面とプロテクタとの間に挟まれて固定される防水性のある振動板と、
筒状フレームの端面に形成され、前記ボイスコイルのリード線を筒状フレームの外へ引き出すためのスリットと、
振動板と前記筒状フレームの端面との間に配置されて前記スリットを塞ぐプレートと、を備えていることを特徴とするスピーカ装置。
【請求項２】
前記筒状フレームの端面は平坦面で環状に形成されていて、前記プレートは前記筒状フレームの端面形状に対応する環状に形成されていることを特徴とする請求項１に記載のスピーカ装置。
【請求項３】
前記プロテクタと振動板は、それらプロテクタと振動板との間に配置された両面テープを介して接着されていることを特徴とする請求項１に記載のスピーカ装置。
【請求項４】
前記プロテクタの周縁部と振動板の周縁部との間に気密を保持するためのＯリングが設けられていることを特徴とする請求項１に記載のスピーカ装置。
【請求項５】
前記プロテクタの周縁部の外周面側にケースの一部を形成する側面ケースが配置され、前記Ｏリングの外周部分が前記側面ケースの内面に密着していることを特徴とする請求項４に記載のスピーカ装置。
【請求項６】
前記スピーカ本体のプロテクタが固定されるケースと、前記プロテクタの周縁部と前記ケースとの間に設けられる防水クッション材とを更に備え、前記防水クッション材は、前記プロテクタと前記ケースとの間に間隙を有する厚さに形成されていることを特徴とする請求項１〜５の何れか１項に記載のスピーカ装置。
【請求項７】
請求項１〜請求項６の何れか１項に記載のスピーカ装置を搭載したことを特徴とする携帯機器。
【発明の詳細な説明】
【技術分野】
【０００１】
本発明は、例えば、携帯電話機のように防水対策を必要とする携帯機器に装備されて好適なスピーカ装置及びそれを搭載した携帯機器の技術に関する。
【背景技術】
【０００２】
携帯電話機のように屋外でも多々使用される電子機器では、降雨時も使用可能なように防水対策が施されている。特に通音部では、スピーカからの通音用の孔が設けられており、通音部については独立して防水構造が採られている。
【０００３】
スピーカのある通音部の防水としては、例えば特許文献１に示すように、スピーカ前面に防水膜のような水を透過しない膜を設け、携帯電話機の内部に水が浸入しないようにしていた。
【特許文献１】特開平８−７９８６５号公報
【発明の開示】
【発明が解決しようとする課題】
【０００４】
特許文献１に示すような携帯電話機では、スピーカの前面に音響的な抵抗が存在するため、音響歪み等の障害が出やすい問題がある。特に、気密性の高い防水シートを用いた場合、内側からのスピーカ音が外側に通り難く所定の音圧が得られないという問題がある。また、通音量を大きくするために、スピーカの音圧を大きくすると、防水シートがびりつき、音質が悪化するという問題がある。
【０００５】
また、特許文献１において、防水シートはスピーカの開口部を覆う状態に設けられるため、スピーカ本体の水漏れを防止することはできない問題があった。即ち、防水シートの機能が低下した場合、その防水シートを通って浸入する水がスピーカ本体の内部へ、あるいは機器内へ浸入する問題があった。
【０００６】
よって、本発明の課題は、スピーカ自体の水漏れを防ぐ構造として防水膜を不要にし、これにより音質の向上、音量増大を図りつつ防水機能も向上させることができるスピーカ装置及び携帯機器を提供することにある。
【課題を解決するための手段】
【０００７】
以上の課題を解決するため、請求項１に係る発明のスピーカ装置は、
ボイスコイルを有するスピーカ本体と、
前記スピーカ本体の周囲を囲むように形成された筒状フレームと、
前記筒状フレームの端面に周縁部が固定されて前記スピーカ本体の前面を覆うプロテクタと、
周縁部が前記筒状フレームの端面とプロテクタとの間に挟まれて固定される防水性のある振動板と、
筒状フレームの端面に形成され、前記ボイスコイルのリード線を筒状フレームの外へ引き出すためのスリットと、
振動板と前記筒状フレームの端面との間に配置されて前記スリットを塞ぐプレートと、を備えていることを特徴とする。
【０００８】
請求項２に係る発明は、請求項１に記載のスピーカ装置において、
前記筒状フレームの端面は平坦面で環状に形成されていて、前記プレートは前記筒状フレームの端面形状に対応する環状に形成されていることを特徴とする。
【０００９】
請求項３に係る発明は、請求項１に記載のスピーカ装置において、前記プロテクタと振動板は、それらプロテクタと振動板との間に配置された両面テープを介して接着されていることを特徴とする。
【００１０】
請求項４に係る発明は、請求項１に記載のスピーカ装置において、前記プロテクタの周縁部と振動板の周縁部との間に気密を保持するためのＯリングが設けられていることを特徴とする。
【００１１】
請求項５に係る発明は、請求項４に記載のスピーカ装置において、前記プロテクタの周縁部の外周面側にケースの一部を形成する側面ケースが配置され、前記Ｏリングの外周部分が前記側面ケースの内面に密着していることを特徴とする。
【００１２】
請求項６に係る発明は、請求項１〜５の何れか１項に記載のスピーカ装置において、前記スピーカ本体のプロテクタが固定されるケースと、前記プロテクタの周縁部と前記ケースとの間に設けられる防水クッション材とを更に備え、前記防水クッション材は、前記プロテクタと前記ケースとの間に間隙を有する厚さに形成されていることを特徴とする。
【００１３】
請求項７に係る発明の携帯機器は、請求項１〜請求項６の何れか１項に記載のスピーカ装置を搭載したことを特徴とする。
【発明の効果】
【００１４】
本発明によれば、スピーカ自体の水漏れを防ぐ構造として防水膜を不要にすることができ、これにより音質の向上、音量増大を図りつつ防水機能も格段に向上させることができる。
【発明を実施するための最良の形態】
【００１５】
以下、図を参照して本発明を実施するための最良の形態を詳細に説明する。
（実施形態１）
図１は、本発明を適用したスピーカ装置の断面図である。図２は図１の部分拡大図である。図３は図１の部分拡大分解図である。図４は図３における矢視Ｃ部分拡大分解図である。
【００１６】
これらの図に示すように、スピーカ装置Ｓは、ボイスコイル１０ａを有するスピーカ本体１０と、スピーカ本体１０の周囲を囲むように形成された筒状フレーム１２と、筒状フレーム１２の端面１２ａに周縁部１３ｃが固定されてスピーカ本体１０の前面を覆うプロテクタ１３と、周縁部１４ｃが筒状フレーム１２の端面１２ａとプロテクタ１３との間に挟まれて固定される防水性のある振動板１４と、筒状フレーム１２の端面１２ａに形成され、ボイスコイル１０ａのリード線１１を筒状フレーム１２の外へ引き出すためのスリット１２ｂ（図３、図４参照）と、筒状フレーム１２の端面１２ａと振動板１４との間に配置されてスリット１２ｂを塞ぐプレート１５とを備えている。
【００１７】
スピーカ本体１０は、筒状フレーム１２内に納まる大きさのヨーク１０ｂと、ヨーク１０ｂの中央空間部分に配置されたマグネット１０ｃと、マグネット１０ｃの外周部分に配置された上記ボイスコイル１０ａとを含む。筒状フレーム１２は円筒状に形成されていて、その内周面にヨーク１０ｂの外周面が密着するように形成されている。筒状フレーム１２の端面１２ａは平坦面で環状に形成されている。
【００１８】
プロテクタ１３は、スピーカ本体１０の振動板１４が存在する前面側を保護するためのもので、多数の通音孔１３ａが形成されたプロテクタ本体１３ｂと、周縁部１３ｃとを備えている。プロテクタ本体１３ｂは平面視において円形状であり、周縁部１３ｃは環状（リング状）に形成されている。周縁部１３ｃはプロテクタ本体１３ｂよりも肉厚に形成されている。これは周縁部１３ｃが容易に変形しないようにすることで、周縁部１３ｃの保持機能に加えて振動板１４に対する密着機能も同時に発揮できるように配慮したものである。
【００１９】
振動板１４は、それ自体防水性のある材料で、あるいは塗装や防水膜等により防水性を施した材料で形成されていて、中央のセンターキャップ１４ａを有する本体部１４ｂと、周縁部１４ｃとを備えている。本体部１４ｂ及びセンターキャップ１４ａは何れも平面視において円形状に形成され、周縁部１４ｃは環状（リング状）に形成されている。
【００２０】
筒状フレーム１２の端面１２ａには、ボイスコイル１０ａのリード線１１を筒状フレーム１２の外へ引き出すためのスリット１２ｂが設けられている。このスリット１２ｂは、この実施形態では、端面１２ａに沿って筒状フレーム１２の径方向に延び、さらに端面１２ａから、筒状フレーム１２の外周面に沿って上下に（筒状フレームの高さ方向に）延びている。したがって、リード線１１もそのスリット１２ｂに沿って延び、下部の電極１７に接続されている。
【００２１】
そして、このスピーカ装置Ｓには、上述のように、振動板１４と筒状フレーム１２の端面１２ａとの間に配置されてスリット１２ｂを塞ぐプレート１５が設けられている。筒状フレーム１２の端面１２ａは平坦面で環状に形成されている。プレート１５は、ＰＥＴ（Polyethylene terephthalate）等の樹脂により形成されていて、筒状フレーム１２の端面形状に対応する環状（リング状）に形成されている。
【００２２】
プレート１５は、筒状フレーム１２の端面１２ａとプロテクタ１３の周縁部１３ｃ及び振動板１４の周縁部１４ｃとの間に挿入して均一に平面補正するためのもので、その表面及び裏面（上面及び下面）共に平坦面に形成されている。
【００２３】
プレート１５は、平坦面で環状に形成されている筒状フレーム１２の端面１２ａの形状に対応する環状に形成されている。したがって、筒状プレート１２の端面１２ａ全体がプレート１５によって均一に覆われる形態となる。これにより、スリット１２ｂを覆うプレート１５の上面に振動板１４の周縁部１４ｃを均一に密着させて固定することが可能になる。
【００２４】
プロテクタ１３と振動板１４は、それらプロテクタ１３と振動板１４との間に配置された両面テープ１６を介して接着されている。接着剤を使用したシールでも良いが、その場合、全周隙間のない接着が難しい。従って、このように両面テープを用いて接着することによって効果的に水漏れを防ぐことができる。
【００２５】
このスピーカ装置Ｓは、この実施形態では、スピーカ本体１０を覆うプロテクタ１３が固定される収容ケース（携帯機器の筐体の一部）２０と、プロテクタ１３の周縁部１３ｃと収容ケース２０との間に設けられる防水クッション材２１とを更に備えている。防水クッション材２１は、プロテクタ１３と収容ケース２０との間に間隙αを有する厚さに形成されている。従って、収容ケース２０とプロテクタ１３との間の水漏れを防止できると共に、プロテクタ１３の表面が収容ケース２０に接触しないように配慮することができる。
【００２６】
筒状フレーム１２の端面１２ａに下から順に積層されるプレート１５、振動板１４の周縁部１４ｃ、両面テープ１６、プロテクタ１３の周縁部１３ｃは接着を含む固定により一体化される。また、収容ケース２０とスピーカ本体１０との間の防水は、プロテクタ１３の周縁部１３ｃと収容ケース２０の内面との間に設けた防水クッション材２１を圧縮する構造とすることで機能させることができる。
【００２７】
この実施形態によれば、筒状フレーム１２の端面１２ａとプロテクタ１３の周縁部１３ｃとの間に平面補正するためのプレート１５を設け、このプレート１５とプロテクタ１３（周縁部１３ｃ）との間に振動板１４（周縁部１４ｃ）を挟み込む構成としたので、振動板１４とプロテクタ１３とを密着させることができる。これにより、振動板１４とプロテクタ１３との間に生じやすい矢印Ａで示す形態の水漏れを確実に防ぐことができる。
【００２８】
また、振動板１４とプロテクタ１３とが密着するように両面テープ１６で接着し、環状で平らなプレート１５で押さえる構成としているため気圧が掛かっても、接着が緩み水漏れすることはない。
【００２９】
図７は比較例として示した図１同様の断面図であり、図８はその部分拡大図、図９は部分拡大分解図である。この図７〜図９を参照して、実施形態１の相違点及び作用効果等について更に詳しく説明する。なお、これらの図において、実施形態１と基本的に同一の構成要素については同一の符号を付して説明を簡略化する。
【００３０】
この比較例に示すスピーカ装置Ｓも、ボイスコイル１０ａを有するスピーカ本体１０と、スピーカ本体１０の周囲を囲むように形成された筒状フレーム１２と、筒状フレーム１２の端面１２ａに周縁部１３ｃが固定されてスピーカ本体１０の前面を覆うプロテクタ１３と、周縁部１４ｃが筒状フレーム１２の端面１２ａとプロテクタ１３との間に挟まれて固定される防水性のある振動板１４と、筒状フレーム１２の端面１２ａに形成され、ボイスコイル１０ａのリード線１１を筒状フレーム１２の外へ引き出すためのスリット１２ｂとを備えている。
【００３１】
従って、この比較例では、振動板１４と筒状フレーム１２の端面１２ａとの間に配置されてスリット１２ｂを塞ぐ平面補正用のプレート１５は設けられていない。そのため、振動板１４とプロテクタ１３との密着が十分でなく、矢印Ｂで示す形態の水漏れが生ずる恐れがある。
【００３２】
この水漏れは、スリット１２ｂに起因している。即ち、筒状フレーム１２の端面１２ａ部分に存在するスリット１２ｂは、この上に重ねられる振動板１４の下面との間に、スリット１２ｂの溝幅に対応する隙間を形成する。そのため振動板１４の一部がスリット１２ｂの内方へ撓むように湾曲しやすくなり、即ち、振動板１４の上面に窪みが形成されやすくなる。これにより振動板１４とプロテクタ１３との間の密着性が低下して水漏れＢが発生しやすくなる。この現象はスリット１２ｂの存在に加え、振動板１４自体が振動すること及び薄く形成されていることにも起因している。
【００３３】
この点、実施形態１では、平面補正用の平坦なプレート１５とプロテクタ１３（周縁部１３ｃ）との間に振動板１４を挟み込む構成としたので、振動板１４とプロテクタ１３とを密着させることができ、しかも、振動板１４の下にはプレート１５が存在するので、その下にスリット１２ｂがあってもそれに影響を受けることはなくなる。これにより、振動板１４とプロテクタ１３との間に生じやすい矢印Ａで示す形態の水漏れを確実に防ぐことが可能になる。
【００３４】
（実施形態２）
図５は本発明の実施形態２を示す要部の断面図である。この実施形態２では、筒状フレーム１２の端面１２ａ上における、プロテクタ１３の周縁部１３ｃと振動板１４の周縁部１４ｃとの間に気密を保持するためのＯリング３０を設けた構成としたものである。この場合、Ｏリング３０の位置決め用として、プロテクタ１３の周縁部１３ｃの下面に溝１３ｄを形成し、その溝１３ｄ内にＯリング３０をはめ込んだ構成としている。勿論、溝１３ｄもＯリング３０に対応させて、端面１２ａに沿って一周するリング状に形成されている。
【００３５】
このように両面テープ１６に代えてＯリングを用いた場合、Ｏリング３０を弾性材で形成することで、プロテクタ１３とプレート１５とでＯリングを圧縮し、そのＯリング３０と振動板１４とが強く密着するように気密確保する有効な手段とすることができる。
【００３６】
（実施形態３）
図６は本発明の実施形態３を示す要部の断面図である。この実施形態３では、筒状フレーム１２の端面１２ａ上における、プロテクタ１３の周縁部１３ｃと振動板１４の周縁部１４ｃとの間で、かつ収容ケース２０の一部の側面ケース１９の内面との間に気密を保持するためのＯリング３０を設けた構成としたものである。この場合も、Ｏリング３０の位置決め用として、プロテクタ１３の周縁部１３ｃの下面と外周面との境界部分に溝１３ｄを形成し、その溝１３ｄ内にＯリング３０をはめ込んだ構成としている。
【００３７】
このように構成した場合、Ｏリング３０を弾性材で形成することで、Ｏリング３０の外周部分を側面ケース１９の内面に密着させることができる。従って、Ｏリング３０全体を利用して、プロテクタ１３、振動板１４、側面ケース１９の何れにもＯリング３０を強く密着させることができる。これにより、水漏れの生じない有効な気密確保手段とすることができる。
【００３８】
なお、以上の実施形態においては、本発明を携帯電話機等に採用されるスピーカ装置に適用した例を示したが、ＰＤＡ等の他の電子機器のスピーカ装置に適用することもできる。また、スピーカ装置の正面形状は、円形であるとしたが、角形としてもよい。その他、具体的な細部構造等についても適宜に変更可能であることは勿論である。
【図面の簡単な説明】
【００３９】
【図１】本発明の実施形態１に係るスピーカ装置の断面図である。
【図２】図１の部分拡大図である。
【図３】図１の部分拡大分解図である。
【図４】図３における矢視Ｃ部分拡大分解図である。
【図５】本発明の実施形態２に係るスピーカ装置の要部の断面図である。
【図６】本発明の実施形態３に係るスピーカ装置の要部の断面図である。
【図７】実施形態の比較例として示したスピーカ装置の断面図である。
【図８】図７の部分拡大図である
【図９】図７の部分拡大分解図である
【符号の説明】
【００４０】
１０  スピーカ本体
１０ａ  ボイスコイル
１０ｂ  ヨーク
１０ｃ  ボビン
１１  リード線
１２  筒状フレーム
１２ａ  端面
１２ｂ  スリット
１３  プロテクタ
１３ａ  通音孔
１３ｂ  プロテクタ本体
１３ｃ  周縁部
１３ｄ  溝
１４  振動板
１４ｃ  周縁部
１５  プレート
１６  両面テープ
１７  電極
１９  側面ケース
２０  ケース
２１  防水クッション材
３０  Ｏリング
【図１】
2008278146.tif 000003
【図２】
2008278146.tif 000004
【図３】
2008278146.tif 000005
【図４】
2008278146.tif 000006
【図５】
2008278146.tif 000007
【図６】
2008278146.tif 000008
【図７】
2008278146.tif 000009
【図８】
2008278146.tif 000010
【図９】
2008278146.tif 000011